(57)【特許請求の範囲】
【請求項１】
ランプソケットが、
ランプのランプ側嵌合部が嵌合するソケット側嵌合部を設け、前記ソケット側嵌合部の中央部に前記ランプのランプ端子が接触する中心端子を配置すると共に、前記ソケット側嵌合部の周部に前記ランプ側嵌合部のコンタクト部が接触する側部端子を配置し且つ前記ソケット本体の前記ソケット側嵌合部とは反対側にユニット収容部を設けたソケット本体と、
前記ユニット収容部に収容し、トランスおよび複数の電子部品を有して構成したランプ起動用の回路部と前記回路部に接続された高圧側出力端子と前記回路部に接続された低圧側出力端子とを有しており、前記高圧側出力端子を前記中心端子に導通させると共に、前記低圧側出力端子を前記側部端子に導通させて構成した内部ユニットと、を備えて構成しており、
前記ランプソケット部の前記ユニット収容部を隔壁部により仕切って互いに隔絶された２つの収納室で構成し、一方の収納室にトランスを収納したトランス収納部および前記中心端子を位置させると共に、他方の収納室に前記側部端子及び他の部品を位置させ、
前記一方の収納室もしくは前記内部ユニットの前記トランス収納部の外周部のいずれか一方に、前記中心端子を囲むシール当接部を設けると共に、他方に、前記高圧側出力端子を囲む環状のシール装着部を設けて、前記シール装着部に環状の絶縁シール部材を装着し、
前記内部ユニットを前記ユニット収容部に収容して、前記高圧側出力端子を前記中心端子に導通させると共に、前記低圧側出力端子を前記側部端子に導通させ、前記絶縁シール部材を前記シール当接部に当接させ、前記高圧側出力端子と前記低圧側出力端子とを隔絶させたことを特徴とするランプソケット。
【請求項２】
前記低圧側出力端子に接続端子を介して前記側部端子に接続することで、前記低圧側出力端子を前記側部端子に導通させるようにした請求項１に記載のランプソケット。
【発明の詳細な説明】
【０００１】
【発明の属する技術分野】
本発明は、自動車のヘッドライトなどのランプを装着するランプソケットに関するものである。
【０００２】
【従来の技術】
近年、自動車用の前照灯においては、安全性を重視することから従来のハロゲンランプに比較して高輝度、低消費電力、長寿命な放電灯が使用されるようになっている。このように自動車の前照灯に用いられ放電灯では、起動時に１３ｋＶ以上という非常に高い電圧を印加する必要がある。
【０００３】
そして、従来のランプソケットであって、ソケット本体内に車両用点灯起動装置を収納したものとして、特開平１０−２２３００５号公報に開示された技術がある。
【０００４】
すなわち、上記の公報における開示技術は、トランス収容部の一側面から車両用放電灯が接続されるソケット部を突設して本体ケースを構成し、この本体ケースのトランス収容部に点灯トランスを収納し、ソケット部に設けた中心端子である高圧側出力端子に、点灯トランスの二次コイルを電気的に接続するようにし、さらに、ソケット部に設けた側部端子である低圧側出力端子に、点灯トランスの一次コイルを回路部を介して接続するようにしたものである。
【０００５】
【発明が解決しようとする課題】
しかしながら、上記したランプソケットにあっては、高圧側出力端子と低圧側出力端子との間を隔絶するものが皆無であるために、耐電圧性能の確保ができず、高圧側出力端子と低圧側出力端子との間にスパークが発生して、高電圧のリークが生じるという問題点があった。
【０００６】
本発明は上記の問題点に着目して成されたものであり、その目的とするところは、耐電圧性能の確保ができて、高圧側出力端子と低圧側出力端子との間にスパークの発生がなく、高電圧のリークが生じないランプソケットを提供することである。
【０００７】
【課題を解決するための手段】
上記目的を達成するために、本発明に係るランプソケットは、ランプソケットが、ランプのランプ側嵌合部が嵌合するソケット側嵌合部を設け、ソケット側嵌合部の中央部にランプのランプ端子が接触する中心端子を配置すると共に、ソケット側嵌合部の周部にランプ側嵌合部のコンタクト部が接触する側部端子を配置し且つソケット本体のソケット側嵌合部とは反対側にユニット収容部を設けたソケット本体と、前記ユニット収容部に収容し、トランスおよび複数の電子部品を有して構成したランプ起動用の回路部とこの回路部に接続された高圧側出力端子と回路部に接続された低圧側出力端子とを有しており、前記高圧側出力端子を前記中心端子に導通させると共に、前記低圧側出力端子を前記側部端子に導通させて構成した内部ユニットと、を備えて構成しており、ランプソケット部のユニット収容部を隔壁部により仕切って互いに隔絶された２つの収納室で構成し、一方の収納室にトランスを収納したトランス収納部および中心端子を位置させると共に、他方の収納室に側部端子及び他の部品を位置させ、一方の収納室もしくは内部ユニットの前記トランス収納部の外周部のいずれか一方に、中心端子を囲むシール当接部を設けると共に、他方に、高圧側出力端子を囲む環状のシール装着部を設けて、シール装着部に環状の絶縁シール部材を装着し、内部ユニットをユニット収容部に収容して、高圧側出力端子を中心端子に導通させると共に、低圧側出力端子を側部端子に導通させ、絶縁シール部材をシール当接部に当接させ、高圧側出力端子と前記低圧側出力端子とを隔絶させるようにしたものである。
【０００８】
そして、低圧側出力端子に接続端子を介して側部端子に接続することで、低圧側出力端子を前記側部端子に導通させるようにしてもよい。
【０００９】
かかる構成により、内部ユニットをユニット収容部に収容して、高圧側出力端子を中心端子に導通させると共に、低圧側出力端子を側部端子に導通させることにより、ランプソケットを組み立てることができる。この場合、特に、高圧側出力端子と低圧側出力端子とを絶縁シール部材で完全に絶縁隔離することで、耐電圧性能の確保ができて、高圧側出力端子と低圧側出力端子との間にスパークの発生がなく、高電圧のリークが生じないようになる。
【００１０】
【発明の実施の形態】
以下、本発明の実施の形態を図面を参照して詳述する。
【００１１】
図１は本発明に係るランプソケットの分解状態の斜視図、図２は同ランプソケットにおけるランプソケット部の側面図、図３は同ランプソケット部の正面図、図４は同ランプソケット部の平面図、図５は同ランプソケット部の底面図である。
【００１２】
本発明に係るランプソケットＡは、ランプＢが着脱可能に装着できるランプソケット部１と、接続端子５と、内部ユニット５４と、カバー７８とを備えており、このランプソケット部１には、そのソケット本体１Ａの中心側に位置する一方の端子である中心端子３と、ソケット本体１Ａの周側に位置する他方端子である側部端子４とが装着される。
【００１３】
そして、内部ユニット５４は、高電圧を発生して放電灯であるランプＢを起動する起動回路部（ランプ起動用の回路部）Ｅと、点灯回路部（図示せず）と起動回路部Ｅを電気的に接続するためのコネクタ部Ｆを有する。なお、点灯回路部は、自動車のバッテリ等の直流電源から電源供給を受けて前照灯たるランプＢに電力を供給するものである。
【００１４】
また起動回路部Ｅは、図１４に示すように、放電ギャップ（ＳＧ）、コンデンサ（Ｃ）、インダクタ（Ｌ）、抵抗（Ｒ）、ダイオード（Ｄ）等の電子部品から成る従来周知の構成を有しており、点灯回路部の出力から高電圧のパルスを発生させるメイン回路Ｇと、メイン回路Ｇの高電圧パルスが１次巻線７５ａに入力されることで２次巻線７５ｂに生じたさらに高い電圧のパルスをランプＢに印加するパルストランス７５とを具備している。
【００１５】
ソケット本体１Ａは図１乃至図８に示すように前方後円形状の基部１Ｂと、この基部１Ｂに立設された円形状の筒状部６と、この筒状部６と同心の内壁部１５とを有しており、基部１Ｂの前端部は突出部１Ｆが形成してある。また、筒状部６の先端部６ａの外周側には鍔状部６Ａが形成してあり、この鍔状部６Ａにより筒状部６の先端部６ａは他の部分より肉厚に成されている。そして、この筒状部６には、ソケット側嵌合部７と、ランプ係合部８とが形成してある。
【００１６】
ソケット側嵌合部７は中央の円筒部１０と内壁部１５との間の円環状の部分であり、円筒部１０の底部には一方の端子装着部である中心端子装着部１１が、また、ソケット側嵌合部７の周部には他方の端子装着部である側部端子装着部１２が形成してある。
【００１７】
また、中心端子装着部１１は端子装着孔１１Ａを有しており、この端子装着孔１１Ａの周部には、相対向する２つの端子脚用溝部１４と、相対向する２つのシール押え部材用脚挿入溝部１４Ａがそれぞれ形成してある。
【００１８】
また、側部端子装着部１２は、ソケット側嵌合部７に対して内壁部１５で隔てられており、内壁部１５の上方が端子表出部１６になっている。側部端子装着部１２の底部には端子脚用孔部１７が形成してある（図４、図７、図８参照）。
【００１９】
ランプ係合部８は、筒状部６の周方向に９０度の位相をずらせて形成された４つの係合部である長孔形状の係合孔部１８と、筒状部６の内周面部６Ｂに形成されて係合孔部１８の端部に連なる挿入用溝１９と、係合孔部１８の、挿入用溝１９に連なる端部とは反対方向に端部に設けられて係合孔部１８に連なる切欠き部１８ａとで構成してある。
【００２０】
また、図１、図２に示すように筒状部６には、係合孔部１８に略平行にスリット２２が形成してあり、係合孔部１８とスリット２２とに挟まれた部分は撓み部２３にしてある。
【００２１】
また、図５に示すように、ソケット本体１Ａの裏面側はユニット収容部８１に成されている。このユニット収容部８１は、前方後円形状の基部１Ｂの周壁部１Ｃ内を隔壁部２４で２分するようにして、互いに隔絶された２つの収納室２５、２６で構成してある。
【００２２】
そして、一方の収納室２５の天井部には、筒状部６に設けた中心端子装着部１１の端子装着孔１１Ａが開口しており、２つの端子脚用溝部１４と２つのシール押え部材用脚挿入溝部１４Ａが共に表出している。また、一方の収納室２５には、端子装着孔１１Ａを囲むようにしてシール当接部７４が形成してある。そして、一方の収納室２５の左右には、ソケット本体１Ａと、内部ユニット５４の位置を決定するために、それぞれに２段階にユニット当接面部２５Ａ、２５Ｂが形成してある。
【００２３】
他方の収納室２６には、中央の部品収容部２７と、この部品収容部２７を挟んだ左右の部品収容部２８、２９と、隔壁部２４寄りに設けられた端子収容部３０と、周壁部１Ｃの前側内部寄りに設けられたコネクタ収容部３１とが設けてあり、中央の部品収容部２７は左右の部品収容部２８、２９に比べてその奥行きが深くしてある。
【００２４】
端子収容部３０は、図５に示すように、側部端子装着部１２の端子脚用孔部１７を中にして囲壁３２ａで囲んだ内側収容部３２Ａと、周壁部１Ｃの左側内部寄りに囲壁３３ａで囲んだ外側収容部３３と、内側収容部３２Ａと外側収容部３３とを連ねる溝状の回廊部３４とが構成してある。そして、外側収容部３３の一部を構成する周壁部１Ｃには、その縁部から縦にスリット３５が形成してある。接続端子５を端子収容部３０の正規の位置まで収容すると、スリット３５から接続端子５の一部が露出しているので、接続端子５が収容されていることが認識できる。
【００２５】
コネクタ収容部３１は、周壁部１Ｃの前側内部に囲壁３１ａで囲んで形成してあり、コネクタ収容部３１は、基部１Ｂの前側の突出部１Ｆに抜けている。また、周壁部１Ｃの外面には係止用突起部８２は複数形成してある。
【００２６】
中心端子３は、図９に示すように、コ字形状の端子本体３７を有しており、この端子本体３７には、相対向する２つの接触片３８から成るランプ接触部３９が設けてあり、また、端子本体３７の一端側には接続部４０が設けてある。この接続部４０は、端子本体３７の一端側に折曲げ片４０Ａを設けて、折曲げ片４０Ａに対向する部位に２つの接点部４１を、折曲げ片４０Ａに１つの接点部４２をそれぞれ設けて構成してある。
【００２７】
また、側部端子４は、図１に示すように、先部に接点部４３ａを有する端子部４３を連結部４４Ａで連ね且つ１つの端子脚部４４を形成したものである。
【００２８】
また、接続端子５は、図１０の（１）〜（４）に示すように、内側接続部４５と、外側接続部４６と、内、外側接続部４５、４６を互いに連結する連結部４７とで構成してある。そして、内側接続部４５は、連結部４７の内端部を折曲げて、この折曲げ部４８の両端の接触片４９をそれぞれに内側に湾曲させ、折曲げ部４８の接触片４９の端部４９ａに対向する部位に接点部５０を設けて構成してある。
【００２９】
また、外側接続部４６は、連結部４７の外端部を折曲げて、この折曲げ部５１の両端の接触片５２をそれぞれに内側に湾曲させ、折曲げ部５１の接触片５２の端部５２ａに対向する部位に接点部５３を設けて構成してある。
【００３０】
また、内部ユニット５４は、図１、図１１乃至図１３に示すように、導電性の板材を所定の形状に打ち抜き加工してなる基板５５と、この基板５５をインサートして樹脂成形されたユニット本体５４Ａと、基板５５に実装される複数の電子部品、例えば、パルストランス７５、コンデンサ（Ｃ）、抵抗（Ｒ）、放電ギャップ（ＳＧ）、チョークコイル（Ｌ）、ダイオード（Ｄ）から構成される起動回路部Ｅとを備えている。
【００３１】
すなわち、基板５５は、端側の縦部位５６に第１、第２、第３、第４、第５の横部位５７、５８、５９、６０、６１を連ねた基板本体５５Ａを備えており、縦部位５６には第１、第２、第３の端子部６２、６３、６４が形成してあり、縦部位５６には第１、第２の端子部６２、６３間をインサート成形後に切り離すために切離加工部イが、第３の端子部６４には切離加工部ロがそれぞれ設けてある。また、第１の横部位５７には切離加工部ハが、第５の横部位６１には切離加工部ニがそれぞれ設けてある。
【００３２】
また、基板本体５５Ａの第１、第２、第３の端子部６２、６３、６４のそれぞれにはコンタクト６５、６６、６７が基板本体５５Ａに対して直角に立ち上げるようにして取付けてあり、また、第５の横部位６１の先端部には接触端子６８が基板本体５５Ａに対して直角に立ち上げるようにして取付けてある。
【００３３】
そして、基板本体５５Ａには、その第１、第２、第３、第４、第５の横部位５７、５８、５９、６０、６１に位置させて電子部品搭載接続部ａ、ｂ、ｃ、ｄ、ｅ、ｆ、ｇ、ｈ、ｉ、ｊが設けてある。
【００３４】
このように構成された基板５５をモールド樹脂にインサート成形して、前方後円形状のユニット本体５４Ａが構成してある。この場合、基板５５の電子部品搭載接続部ａ、ｂ、ｃ、ｄ、ｅ、ｆ、ｇ、ｈ、ｉ、ｊ及び切離加工部イ、ロ、ハ、ニの部分はモールドされずに露出している。なお、図中６９Ａ、６９Ｂはインサート押え部である。
【００３５】
そして、ユニット本体５４Ａの後部は、その裏側が開口する円形状のトランス収容部７０が形成してあり、このトランス収容部７０の上面部には端子挿入孔７１が設けてある。また、トランス収容部７０の外周部の先側にはシール装着部７２が形成してある。また、トランス収容部７０の外周部の左右にはソケット本体１Ａと、内部ユニット５４の位置を決定するために、それぞれ２段階の当接部７３Ａ、７３Ｂが形成してある。
【００３６】
また、ユニット本体５４Ａには、コンタクト６５、６６、６７が、それぞれの先部を残してモールド樹脂で被覆してあって、コネクタ部Ｆが形成してあり、また、接触端子６８が、その先部を残してモールド樹脂で被覆して、他方の出力端子である低圧側出力端子７７が構成してある。
【００３７】
そして、上記のように構成されたユニット本体５４Ａは、その切離加工部イ、ロ、ハ、ニの部分を打ち抜き加工により切離した後に、トランス収容部７０にパルストランス７５を収納し、基板５５の電子部品搭載接続部ａ、ｂ、ｃ、ｄ、ｅ、ｆ、ｇ、ｈ、ｉ、ｊに電子部品が搭載される。
【００３８】
すなわち、図１３に示すように、トランス収容部７０にはパルストランス７５が収納して樹脂封止してあり、このパルストランス７５の一方の出力端子である高圧側出力端子７６は端子挿入孔７１を貫通して外方に突出している。また、パルストランス７５の一方の接続端子７６ａは電子部品搭載接続部ａに、他方の接続端子７６ｂは電子部品搭載接続部ｂにそれぞれ接続（半田付け）してある。
【００３９】
また、コンデンサ（Ｃ）は、その接続端子を電子部品搭載接続部ｃ、ｄに半田付けにより接続して基板５５に搭載してあり、抵抗（Ｒ）は、その接続端子を電子部品搭載接続部ｃ、ｅに半田付けにより接続して基板５５に搭載してある。また、放電ギャップ（ＳＧ）は、その接続端子を電子部品搭載接続部ａ、ｆに半田付けにより接続して基板５５に搭載してあり、チョークコイル（Ｌ）は、その接続端子を電子部品搭載接続部ｇ、ｈに半田付けにより接続して基板５５に搭載してあり、ダイオード（Ｄ）は、その接続端子を電子部品搭載接続部ｉ、ｊに半田付けにより接続して基板５５に搭載してある。
【００４０】
上記のようにパルストランス７５、コンデンサ（Ｃ）、抵抗（Ｒ）、放電ギャップ（ＳＧ）、チョークコイル（Ｌ）及びダイオード（Ｄ）を基板５５上に搭載することにより、図１４に示す回路構成で互いに接続してある。
【００４１】
また、カバー７８は、図１に示すように、ソケット本体１Ａの基部１Ｂの周壁部１Ｃに嵌合するものであり、このカバー７８の周面部にはカバー側係合部である係合孔部７９が複数形成してある。
【００４２】
そして、側部端子４はソケット本体１Ａの側部端子装着部１２に圧入状態で装着してあり、この側部端子４の接点部４３ａは端子表出部１６よりソケット側嵌合部７内に表出している。また、側部端子４の端子脚部４４は側部端子装着部１２の端子脚用孔部１７に圧入してあり、この端子脚用孔部１７より端子収容部３０の内側収容部３２Ａに突入している。
【００４３】
そして、図１、図５、図８に示すように、端子収容部３０には接続端子５が収容してある。すなわち、接続端子５の内側接続部４５を端子収容部３０の内側収容部３２Ａに、外側接続部４６を外側収容部３３に、連結部４７を回廊部３４にそれぞれ挿入して、内側接続部４５を側部端子４の端子脚部４４に接続してある。この接続は、内側接続部４５の折曲げ部４８の接触片４９の端部４９ａと接点部５０とに側部端子４の端子脚部４４を接触させることにより行われる。
【００４４】
そして、内部ユニット５４の高圧側出力端子７６に中心端子３が接続してある。すなわち、高圧側出力端子７６に接続部４０を嵌合して、接点部４１及び接点部４２を高圧側出力端子７６に接触し、高圧側出力端子７６に中心端子３が接続してある。また、トランス収容部７０に環状のシール装着部７２と段部７２Ａが形成されていて、高圧側出力端子７６と低圧側出力端子７７との間のスパークによるリークを防止し、絶縁性能、耐圧性能を保持するための環状の絶縁シール部材８０が装着してある。
【００４５】
そして、ソケット本体１Ａの裏面側のユニット収容部８１に内部ユニット５４を収容する。すなわち、ユニット収容部８１の一方の収納室２５にパルストランス７５を収納したトランス収容部７０を、他方の収納室２６に内部ユニット５４の他の部分をそれぞれ収納する。この場合、トランス収容部７０の外周部の左右の２段階の当接部７３Ａ、７３Ｂが一方の収納室２５の左右の２段階のユニット当接面部２５Ａ、２５Ｂに当接するし、また、絶縁シール部材８０は一方の収納室２５のシール当接部７４に当接する。
【００４６】
なお、本実施例では、トランス収容部７０に環状の絶縁シール部材８０が装着してあるが、環状の絶縁シール部材８０をユニット収容部８１の一方の収納室２５に装着して、絶縁シール部材８０を一方の収納室２５のシール当接部７４に当接後に、内部ユニット５４を収容し、すなわち、一方の収納室２５にトランス収容部７０を収容し、トランス収容部７０の環状のシール装着部７２に絶縁シール部材８０を当接してもよい。
【００４７】
そして、高圧側出力端子７６に接続されている中心端子３の相対向する２つの接触片３８から成るランプ接触部３９をソケット本体１Ａの中心端子装着部１１の端子脚用溝部１４に挿入し、また、内部ユニット５４の低圧側出力端子７７が接続端子５の外側接続部４６に接続される。この接続は、外側接続部４６の折曲げ部５１の接触片５２の端部５２ａと接点部５３とに低圧側出力端子７７を接触させることにより行われる。また、内部ユニット５４のコネクタ部Ｆはコネクタ収容部３１内に挿入される。
【００４８】
そして、図３に示すように、中心端子装着部１１の円筒部１０の外側には絶縁シール８３が装着されるし（図１参照）、また、円筒部１０の内側には、シール押え部材８４が、その係止脚部（図示せず）をシール押え部材用脚挿入溝部１４Ａに挿入係止して取付けられる。
【００４９】
そして、ソケット本体１Ａには、これの係止用突起部８２を係合孔部７９に係脱可能に係合してカバー７８が装着してあり、このカバー７８により内部ユニット５４は被覆保護されている。なお、内部ユニット５４と一体に成形されていてもよく、この場合、別部品からなるカバーを備える必要はない。
【００５０】
ランプＢは図１５に示すようにランプボディ９０を備えており、このランプボディ９０は、ランプソケットＡのソケット側嵌合部７に嵌合するランプ側嵌合部９１及び係合部９２が形成してあり、この係合部９２にはランプソケットＡのランプ係合部８に係合する係合ピン９３が形成してある。また、ランプ側嵌合部９１の端面には円形凹部９４が形成してある。
【００５１】
ランプボディ９０の中心部にはランプ端子９５が装着してあり、このランプ端子９５のランプ接続部９６はランプボディ９０の上面部に表出しており、また、ランプ端子９５のコンタクト部９７は円形凹部９４内に突出している。そして、ランプ側嵌合部９１の周部には円環状のコンタクト部９８が設けてある。
【００５２】
そして、ランプ端子９５のランプ接続部９６にはバルブ９９が接続してあり、このバルブ９９の一方の接点９９ａはランプ端子９５に導通しており、バルブ９９の他方の接点９９ｂはコンタクト部９８に導通している。
【００５３】
そして、上記のように構成されたランプＢは、そのランプ側嵌合部９１をランプソケットＡのソケット側嵌合部７に嵌合し、係合部９２の係合ピン９３を挿入用溝１９に挿入した後、ランプＢを回転させて係合ピン９３を係合孔部１８に係合してランプソケットＡに装着してあり、ランプ端子９５のコンタクト部９７は中心端子３のランプ接触部３９に接触し、前記ランプ側嵌合部９１の周部のコンタクト部９８は、側部端子４の接点部４３ａに接触している。
【００５４】
なお、ソケット本体１Ａの裏面側のユニット収容部８１に内部ユニット５４を収容する場合、すなわち、ユニット収容部８１の一方の収納室２５にパルストランス７５を収納したトランス収容部７０を、他方の収納室２６に内部ユニット５４の他の部分（電子部品、すなわちコンデンサ（Ｃ）、抵抗（Ｒ）、放電ギャップ（ＳＧ）、チョークコイル（Ｌ）及びダイオード（Ｄ））をそれぞれ収納する場合、他方の収納室２６に、電子部品を振動等から保護するための又は防滴、防水のための樹脂を入れるようにしてもよい。
【００５５】
上記したように、実施の形態によれば、内部ユニット５４をユニット収容部８１に収容して、高圧側出力端子７６に接続された中心端子３を中心端子装着部１１の端子装着孔１１Ａに装着すると共に、低圧側出力端子７７を側部端子４に導通させ、カバー７８で内部ユニット５４を覆うことにより、ランプソケットＡを組み立てることができて、内部に電子回路及び電子部品を組み込んだ構成でありながら組立工数が少なく組立てが容易になる。また、内部ユニット５４をランプソケット部１のユニット収容部８１に収容するために、ユニット収容部８１の全域に樹脂の真空注形をしなくてもよく、更に、組立てが容易になる。
【００５６】
この場合、特に、高圧側出力端子７６と低圧側出力端子７７とを隔壁部２４及び絶縁シール部材８０で完全に絶縁隔離することで、耐電圧性能の確保ができて、高圧側出力端子７６と低圧側出力端子７７との間にスパークの発生がなく、高電圧のリークが生じないようになる。
【００５７】
【発明の効果】
以上詳述したように、本発明に係るランプソケットによれば、内部ユニットをユニット収容部に収容して、高圧側出力端子を中心端子に導通させると共に、低圧側出力端子を側部端子に導通させることにより、ランプソケットを組み立てることができる。この場合、特に、高圧側出力端子と低圧側出力端子とを絶縁シール部材で完全に絶縁隔離することで、耐電圧性能の確保ができて、高圧側出力端子と低圧側出力端子との間にスパークの発生がなく、高電圧のリークが生じないようになる。
【図面の簡単な説明】
【図１】  本発明に係るランプソケットの分解状態の斜視図である。
【図２】  同ランプソケットにおけるランプソケット部の側面図である。
【図３】  同ランプソケット部の正面図である。
【図４】  同ランプソケット部の平面図である。
【図５】  同ランプソケット部の底面（裏面）図である。
【図６】  図４のＸ−Ｘ線に沿う断面図である。
【図７】  図２のＹ−Ｙ線に沿う断面図である。
【図８】  図４のＺ−Ｚ線に沿う断面図である。
【図９】  （１）は中心端子の平面図である。
（２）は中心端子の正面図である。
（３）は中心端子の底面図である。
【図１０】  （１）は接続端子の平面図である。
（２）は（１）のＵ方向からの矢視図である。
（３）は（１）のＶ方向からの矢視図である。
（４）は（３）のＷ方向からの矢視図である。
【図１１】  本発明に係るランプソケットにおける内部ユニットの側面図である。
【図１２】  同内部ユニットにおける電子部品搭載前の平面図である。
【図１３】  同内部ユニットにおける電子部品搭載後の平面図である。
【図１４】  本発明に係るランプソケットにおける回路説明図である。
【図１５】  （１）はランプの正面図である。
（２）は（１）のＴ方向からの矢視図である。
【符号の説明】
Ａ        ランプソケット
Ｂ        ランプ
Ｆ        コネクタ部
１        ランプソケット部
１Ａ      ソケット本体
１Ｂ      基部
１Ｃ      周壁部
１Ｆ      突出部
３        中心端子
４        側部端子
５        接続端子
７        ソケット側嵌合部
２４      隔壁部
２５      一方の収納室
２６      他方の収納室
５４      内部ユニット
５４Ａ    ユニット本体
５５      基板
５５Ａ    基板本体
７２      シール装着部
７４      シール当接部
７６      高圧側出力端子
７７      低圧側出力端子
７８      カバー
８１      ユニット収容部
【図１】
0004194251.tif 000002
【図２】
0004194251.tif 000003
【図３】
0004194251.tif 000004
【図４】
0004194251.tif 000005
【図５】
0004194251.tif 000006
【図６】
0004194251.tif 000007
【図７】
0004194251.tif 000008
【図８】
0004194251.tif 000009
【図９】
0004194251.tif 000010
【図１０】
0004194251.tif 000011
【図１１】
0004194251.tif 000012
【図１２】
0004194251.tif 000013
【図１３】
0004194251.tif 000014
【図１４】
0004194251.tif 000015
【図１５】
0004194251.tif 000016